(57)【要約】 【課題】装置全体が小型であって、且つ複雑な運動をして遊技の興趣を持続することができる遊技機の可動装飾装置を提供する。【解決手段】水平回動体４４が枢設された摺動板３を一方向にスライド移動させるクランク機構５と、クランク機構５に接続されて水平回動体４４を水平方向に往復回動させる回動用レバー６と、クランク機構５を作動させる駆動モータＭと、により可動装飾装置を構成し、駆動源Ｍの一方向の駆動により摺動板３のスライド移動と水平回動体４４の水平回動とを連続して行うようにした。さらに、レバー構造の垂直回動体４５を水平回動体４４に軸着し、水平回動体４４の支軸４３に垂直回動体４５の一端を押圧可能な偏心カム４７を設けて、垂直回動体４５を垂直方向に回動可能とした。【選択図】図４
2007244406.tif 000002
【特許請求の範囲】
【請求項１】
水平方向に回動する水平回動体が枢設された装飾部品本体を、一方向にスライド移動させるクランク機構と、
クランク機構に接続されて前記水平回動体を水平方向に往復回動させる回動用レバーと、
クランク機構を作動させる駆動源とを備えて、
駆動源の一方向の駆動により装飾部品本体のスライド移動と水平回動体の水平回動とを連続して行うようにしたことを特徴とする遊技機の可動装飾装置。
【請求項２】
回動用レバーを、装飾部品本体が支軸を介して固定された摺動板に軸着し、
装飾部品本体と摺動板との間には、前記支軸が移動可能に挿通される長孔を設けた装飾基板を介装するとともに、
摺動板を、装飾基板の裏面の一側に設けたガイド棒にスライド自在に装着したうえに、クランク機構を、前記回動用レバーの一端に接続したことを特徴とする請求項１に記載の遊技機の可動装飾装置。
【請求項３】
水平方向に回動する水平回動体が枢設された装飾部品本体を、一方向にスライド移動させるラックギアと、
水平回動体の回動軸に軸着された従動ギアと、
ラックギアを前後動させる駆動ギアと駆動源とを備えたうえに、
前記従動ギアを、ラックギアの後退方向に付勢してラックギアと歯合させて、
駆動源の一方向の駆動により装飾部品本体のスライド移動と水平回動体の水平回動とを連続して行うようにしたことを特徴とする遊技機の可動装飾装置。
【請求項４】
従動ギアを、装飾部品本体が支軸を介して固定された摺動板に軸着し、装飾部品本体と摺動板との間には前記支軸が移動可能に挿通される長孔を設けた装飾基板を介装するとともに、
摺動板を、装飾基板の裏面の一側に設けたガイド棒にスライド自在に装着したうえに、ラックギアを、前記従動ギアと歯合させたことを特徴とする請求項３に記載の遊技機の可動装飾装置。
【請求項５】
水平方向に回動する水平回動体が枢設された装飾部品本体を、一方向にスライド移動させるクランク機構と、
クランク機構に接続されて前記水平回動体を水平方向に往復回動させるカム機構と、
クランク機構を作動させる駆動源とを備えて、
駆動源の一方向の駆動により装飾部品本体のスライド移動と水平回動体の水平回動とを連続して行うようにしたことを特徴とする遊技機の可動装飾装置。
【請求項６】
カム機構を、装飾部品本体が支軸を介して固定された摺動板に配設し、
装飾部品本体と摺動板との間には、前記支軸が移動可能に挿通される長孔を設けた装飾基板を介装するとともに、
摺動板を、装飾基板の裏面の一側に設けたガイド棒にスライド自在に装着したうえに、
クランク機構を、前記カム機構と接続したことを特徴とする請求項５に記載の遊技機の可動装飾装置。
【請求項７】
カム機構は、クランク部材と、カム部材とからなり、
クランク部材は、水平回動体の回転軸に装着された扇状の基板部の一方の端部に設けられ連結棒と接続された突起と、他方の端部に設けられたコロとを有し、
カム部材は、摺動板のスライド方向に沿って形成された直線状の凹部と、水平回動体の回動方向に湾曲する円弧状の凹部とを有し、
前記カム部材は、凹部にコロが嵌めこまれた状態で、装飾基板の裏側に螺着されていることを特徴とする請求項５または６に記載の遊技機の可動装飾装置。
【請求項８】
カム機構は、クランク部材と、カム部材とからなり、
クランク部材は、水平回動体の回転軸に装着された長円形状の基板部の先端に設けられ連結棒と接続されたコロを有し、
カム部材は、摺動板のスライド方向に沿って形成された直線状の凹部と、水平回動体を回動させる円弧状の凹部とを有し、
前記カム部材は、凹部にコロが嵌めこまれた状態で、装飾基板の裏側に螺着されていることを特徴とする請求項５または６に記載の遊技機の可動装飾装置。
【請求項９】
装飾部品本体は、支軸を介して摺動板に固定され、この支軸が遊技基板の長孔から上方に突出して、装飾部品本体が遊技基板の上面側に配設されていることを特徴とする請求項２又は４又は６に記載の遊技機の可動装飾装置。
【請求項１０】
水平回動体に軸着されて垂直方向に回動するレバー構造の垂直回動体と、水平回動体の支軸に遊嵌されて垂直回動体の一端を押圧可能な偏心カムとを備え、当該偏心カムは、摺動板の前後動に連動して回動されて垂直回動体を垂直方向に回動させることを特徴とする請求項１〜９の何れかに記載の遊技機の可動装飾装置。
【請求項１１】
垂直回動体の偏心カムと係合する端部と反対側の端部は、水平回動体に取り付けられたバネにより上方に付勢されていることを特徴とする請求項１０に記載の遊技機の可動装飾装置。
【請求項１２】
遊技基板は、ヨー運動発生用の湾曲溝を有し、この湾曲溝に遊技部品本体の裏側に突設したヨーイング棒が挿入されていることを特徴とする請求項２又は４又は６に記載の遊技機の可動装飾装置。
【請求項１３】
遊技基板は、ローリング発生用の隆起を有し、遊技部品本体の裏側には、前記隆起上を摺動する突起が設けられていることを特徴とする請求項２又は４又は６又は１２に記載の遊技機の可動装飾装置。
【発明の詳細な説明】
【技術分野】
【０００１】
本発明は、遊技機に用いる可動装飾装置に関するものである。
【背景技術】
【０００２】
従来の遊技機における演出手段としては、例えば特許文献１、２に開示されたものが知られている。特許文献１のものは、再生されるゲーム音楽の変化に連動して可動装飾部材を動かすようにしたものであるが、このものは駆動手段が複数必要であって、駆動手段の設置スペース確保のために装置全体が大型化するとともに、駆動制御も複雑になってしまう。
また、特許文献２のものは、単一の駆動手段を用いて複数の可動装飾部材を可動させるようにしたものであるが、一つのスライド部材により複数の可動部材を連繋させた構造のため、各々の可動部材が同時に単純に可動するのみであって、複雑な運動を行うことはできなかった。このため、遊技者が飽きやすいものであった。
【特許文献１】特開２００３−１２６３８３号公報
【特許文献２】特開２００４−１２９８７５号公報
【発明の開示】
【発明が解決しようとする課題】
【０００３】
本発明は、上記した従来の問題点に鑑み、装置全体が小型であって、且つ複雑な運動をして遊技の興趣を持続することができる遊技機の可動装飾装置を提供することを課題とする。
【課題を解決するための手段】
【０００４】
上記の課題を解決するためになされた本発明の遊技機の可動装飾装置は、
水平方向に回動する水平回動体が枢設された装飾部品本体を、一方向にスライド移動させるクランク機構と、
クランク機構に接続されて前記水平回動体を水平方向に往復回動させる回動用レバーと、
クランク機構を作動させる駆動源とを備えて、
駆動源の一方向の駆動により装飾部品本体のスライド移動と水平回動体の水平回動とを連続して行うようにしたことを特徴とするものである。
【０００５】
上記した発明において、回動用レバーを、装飾部品本体が支軸を介して固定された摺動板に軸着し、
装飾部品本体と摺動板との間には、前記支軸が移動可能に挿通される長孔を設けた装飾基板を介装するとともに、
摺動板を、装飾基板の裏面の一側に設けたガイド棒にスライド自在に装着したうえに、クランク機構を、前記回動用レバーの一端に接続することができる。
【０００６】
本発明の遊技機の可動装飾装置は、
水平方向に回動する水平回動体が枢設された装飾部品本体を、一方向にスライド移動させるラックギアと、
水平回動体の回動軸に軸着された従動ギアと、
ラックギアを前後動させる駆動ギアと駆動源とを備えたうえに、
前記従動ギアを、ラックギアの後退方向に付勢してラックギアと歯合させて、
駆動源の一方向の駆動により装飾部品本体のスライド移動と水平回動体の水平回動とを連続して行うようにしたことを特徴とするものである。
【０００７】
上記した発明において、従動ギアを、装飾部品本体が支軸を介して固定された摺動板に軸着し、装飾部品本体と摺動板との間には前記支軸が移動可能に挿通される長孔を設けた装飾基板を介装するとともに、
摺動板を、装飾基板の裏面の一側に設けたガイド棒にスライド自在に装着したうえに、ラックギアを、前記従動ギアと歯合させることができる。
【０００８】
本発明の遊技機の可動装飾装置は、
水平方向に回動する水平回動体が枢設された装飾部品本体を、一方向にスライド移動させるクランク機構と、
クランク機構に接続されて前記水平回動体を水平方向に往復回動させるカム機構と、
クランク機構を作動させる駆動源とを備えて、
駆動源の一方向の駆動により装飾部品本体のスライド移動と水平回動体の水平回動とを連続して行うようにしたことを特徴とするものである。
【０００９】
上記した発明において、カム機構を、装飾部品本体が支軸を介して固定された摺動板に配設し、
装飾部品本体と摺動板との間には、前記支軸が移動可能に挿通される長孔を設けた装飾基板を介装するとともに、
摺動板を、装飾基板の裏面の一側に設けたガイド棒にスライド自在に装着したうえに、
クランク機構を、前記カム機構と接続することができる。
【００１０】
上記カム機構は、クランク部材と、カム部材とからなり、
クランク部材は、水平回動体の回転軸に装着された扇状の基板部の一方の端部に設けられ連結棒と接続された突起と、他方の端部に設けられたコロとを有し、
カム部材は、摺動板のスライド方向に沿って形成された直線状の凹部と、水平回動体の回動方向に湾曲する円弧状の凹部とを有し、
前記カム部材は、凹部にコロが嵌めこまれた状態で、装飾基板の裏側に螺着されているものとすることができる。
【００１１】
また、上記カム機構は、カム機構は、クランク部材と、カム部材とからなり、
クランク部材は、水平回動体の回転軸に装着された長円形状の基板部の先端に設けられ連結棒と接続されたコロを有し、
カム部材は、摺動板のスライド方向に沿って形成された直線状の凹部と、水平回動体を回動させる円弧状の凹部とを有し、
前記カム部材は、凹部にコロが嵌めこまれた状態で、装飾基板の裏側に螺着されているものとすることができる。
【００１２】
なお、装飾部品本体は、支軸を介して摺動板に固定され、この支軸が遊技基板の長孔から上方に突出して、装飾部品本体が遊技基板の上面側に配設することができる。
【００１３】
本発明の可動装飾装置は、水平回動体に軸着されて垂直方向に回動するレバー構造の垂直回動体と、水平回動体の支軸に遊嵌されて垂直回動体の一端を押圧可能な偏心カムとを備え、当該偏心カムは、摺動板の前後動に連動して回動されて垂直回動体を垂直方向に回動させることができる。
【００１４】
垂直回動体の偏心カムと係合する端部と反対側の端部は、水平回動体に取り付けられたバネにより上方に付勢されているものとすることができる。
【００１５】
可動装飾装置の遊技基板は、ヨー運動発生用の湾曲溝を有し、この湾曲溝に遊技部品本体の裏側に突設したヨーイング棒を挿入することができ、
また、遊技基板は、ローリング発生用の隆起を有し、遊技部品本体の裏側には、前記隆起上を摺動する突起を設けることができる。
【発明の効果】
【００１６】
請求項１に係る発明は、クランク機構により装飾部品本体を一方向に往復してスライド移動させることができ、装飾部品の移動が停止されたときにクランク機構が回動用レバーを回動することができるので、水平回動体を水平方向に回動させることができる。
よって、駆動源の一方向の駆動により装飾部品本体のスライド移動と水平回動体の水平回動とを連続して行うことができる。
請求項２に係る発明は、摺動板を介して装飾部品本体を往復移動させることができ、摺動板に軸着した回動用レバーにより水平回動体を回動することができる。
【００１７】
請求項３に係る発明は、ラックギアにより装飾部品本体を一方向に往復してスライド移動させることができ、装飾部品の移動が停止されたときにラックギアが従動ギアを回動することができるので、水平回動体を水平方向に回動させることができる
請求項４に係る発明は、摺動板を介して装飾部品本体を往復移動させることができ、摺動板に軸着した従動ギアにより水平回動体を回動することができる。
【００１８】
請求項５に係る発明は、クランク機構により装飾部品本体を一方向に往復してスライド移動させることができ、装飾部品の移動が停止されたときにカム機構がクランク機構により作動されて、水平回動体を水平方向に回動させることができる
請求項６に係る発明は、摺動板を介して装飾部品本体を往復移動させることができ、摺動板に配設したカム機構により水平回動体を回動することができる。
請求項７に係る発明は、連結棒の押圧によって前進した摺動板がストッパーに当たって停止すると、コロは円弧状の凹部を移動可能となるので、水平回動体もともに水平回動することができる。
請求項８に係る発明は、摺動板がストッパーに衝突して停止させられると、コロは円弧状の凹部に沿って移動可能となるので、連結棒の押圧によって、クランク部材が回動され、これによって水平回動体もともに回動される。
【００１９】
請求項９に係る発明は、装飾部品本体の支軸が遊技基板の長孔から上方に突出しているので、装飾部品本体は遊技基板の上面側をスライド移動することができる。
【００２０】
請求項１０に係る発明は、偏心カムが摺動板の前後動に連動して回動されて垂直回動体の一端を押圧するので、垂直回動体の他端を垂直方向に回動させることができる。よって。駆動源の一方向の駆動により装飾部品本体のスライド移動と水平回動体の水平回動と垂直回動体の垂直回動とを連続して行うことができる。
請求項１１に係る発明は、偏心カムの押圧が解除されたときに、垂直回動体の先端を上方に向けさせることができる。
【００２１】
請求項１２に係る発明は、遊技部品をヨーイングさせることができ、請求項１３に係る発明は、遊技部品をローリングさせることができる。よって、本発明に係る遊技部品は複雑な動作を行うことができる。
【発明を実施するための最良の形態】
【００２２】
以下に本発明を実施形態に基づき詳細に説明する。
図１は本発明に係る遊技機の可動装飾装置を示す図、図２はその分解斜視図である。１は装飾基板であって、この装飾基板１は長方形の長孔１１を有する。装飾基板１の裏面の一側には、一本のガイド棒２が配設され、このガイド棒２に摺動板３が一方向にスライド移動可能に取り付けられている。摺動板３には、摺動板３の移動を停止させるための係合突部９４が配設されている。
【００２３】
遊技基板１の上面には装飾部品４が配設されているが、この装飾部品４は、摺動板３に立設され、かつ長孔１１から上方に突出する支柱４１の内部に挿入された回転軸４３に軸支された装飾部品本体４２と、回転軸４３に固設されて水平方向に回動可能な水平回動体４４と、水平回動体４４に取り付けられて垂直方向に回動可能なレバー構造の垂直回動体４５とからなる。回転軸４３は、摺動板３の裏側にまで挿通され、その端部には水平回動レバー６が固設されている。なお、遊技部品４はタンク模型であって、装飾部品本体４２はタンク本体、水平回動体４４は砲塔、垂直回動体４５は砲身を模してある。
【００２４】
５はクランク機構であって、このクランク機構５は、駆動モータＭの回転軸に軸着されたクランク棒５１と、連結棒５２とを有する。連結棒５２の一端は、摺動板３の裏側で回転軸４３に固設された水平回動レバー６の一端に軸着され、水平回動レバー６の他端には、戻り操作を容易とするバネ６１が取り付けられている。このバネ６１の一端は装飾基板１の一側のガイド棒固定部材２１に設けた係止爪１２に掛けられている。
【００２５】
以下に、上記した可動装飾装置における前進、回動機構を説明する。
図３、４は、装飾部品４が最もモータＭ側に引き付けられた状態を示す図であって、クランク棒５１は、図において最大角度右方に回動されており連結棒５２を介して水平回動レバー６を引っ張っている。水平回動レバー６は、その回動を装飾基板１に設けたストッパー６２により規制されているので、バネ６１の引張り力に抗して遊技部品４を摺動板３とともに最も右方に移動させている。
【００２６】
図５、６に示すように、モータＭが右回り（時計回り）方向に回動されると連結棒５２はクランク棒５１により前方（図では左方）に押圧されて、水平回動レバー６を介して摺動板３を前方に押し出す。即ち、水平回動レバー６は連結棒５２により回動されることなく、連結棒５２の前方押し出し力を摺動板３に伝達する。摺動板３はバネ６１の引き付け力の援助もあって前方に容易に移動することができる。
【００２７】
係合突部９４が長孔１１の端部に当接した場合には摺動板３の移動は停止されるが、クランク棒５１の回転により連結棒５２はさらに水平回動レバー６を押圧するので、連結棒５２の押圧によって水平回動レバー６は右回り方向に水平回動されることとなる。よって、図７、８に示すように、水平回動レバー６に立設された回転軸４３を介して、水平回動体４４は右回り方向に回動される。このときバネ６１は再び引き伸ばされる。
なお、図９には、図３、４に対応する斜視図、図１０には、図５、６に対応する斜視図、図１１には、図７、８に対応する斜視図を示す。
【００２８】
本発明に係る可動装飾装置は、前記したとおり垂直回動体４５を備えている。
垂直回動体４５は、図２に示すように、水平回動体４４の左右の側壁４４ａに嵌入される支軸４５ａと、支軸４５ａから一方に突出する棒状体４５ｂと、棒状体４５ｂとは反対側で棒状体４５ｂとほぼ直交して下方に延出された係合突片４５ｃとからなる。この垂直回動体４５は折り曲げられた金属線によってできているバネ４６が孔４５ｄに差し込まれて、砲身に模した棒状体４５ｂの先端は下向きに付勢されている。
【００２９】
装飾部品本体４２には、係合突片４５ｃ挿通用の湾曲孔４２ａが設けられている。湾曲孔４２ａは、水平回動体４４の回動に対応して係合突片４５ｃが移動可能に湾曲して設けられている。装飾部品本体４２の下方においては、偏心カム４７がボス４８に嵌着され、このボス４８内に回転軸４３が挿通されている。偏心カム４７は、筒部４７ａと、これに水平状に設けられた略矩形状のカム板４７ｆとからなる。この偏心カム４７はボス４８に固定されたままで回動することはない。
【００３０】
摺動板３が最も前進した図１０に示す状態では、カム板４７ｆは垂直回動体４５の係合突片４５ｃを押圧してはいないので、棒状体４５ｂは略水平状態のままであるが、水平回動体４４が回動されることによって垂直回動体４５もともに水平方向に移動するので、係合突片４５ｃがカム板４７ｆによって押圧されることとなって、棒状体４５ｂの先端は上方に向けられることとなる（図１１）。
【００３１】
以上のようにして、一連の動きが完了した後は、図示していない制御装置の指令により、モータＭは逆回転、即ち左回りに回転されるので、バネ６１の張力により、摺動板３が動き出すよりも前に水平回動レバー６はストッパー６２に当接するまで回動される（図５）。水平回動レバー６がストッパー６２に当接しても、連結棒５２はさらに水平回動レバー６を後方（図では右方）に引っ張るので、摺動板３は元の図３、４に示す状態に戻されることになる。以上の動作を繰り返すことによって、装飾部品本体４２は前後進し、水平回動体４４は右回り、左回りの水平回動を繰り返すことができる。
【００３２】
第２の実施形態の可動装飾装置の分解斜視図を図１２に示すが、このものは摺動板３の前後進、および水平回動体４４が水平回動する構造は、第１の実施形態のものと大きく変わるところはない。また、同じ構造の垂直回動体４５を備えている。
【００３３】
偏心カム４７は、筒部４７ａと、これに水平状に設けられた略扇状のカム板４７ｂと、偏心カム４７回動用の下向きの係合突棒４７ｃとからなり、摺動板３側の支柱４１に装着され支柱４１を中心に回動する。そして、遊技基板１の長孔１１の一側には切り込み１１ａが設けられている。
【００３４】
摺動板３が最も後退した図１３、１４に示す状態では、係合突棒４７ｃは切り込み１１ａに嵌め込まれている。摺動板３が前進したときには、支柱４１の前進により偏心カム４７が左回りに回動されて、これによってカム板４７ｂも回動されて垂直回動部材４５の係合突片４５ｃを押圧するので、バネ４６の付勢力に抗して棒状体４５ｂの先端を上方に持ち上げることができる（図１５、１６）。
【００３５】
このとき、カム板４７ｂの反対側の係合突棒４７ｃも回動されて、切り込み１１ａから摺動板３に設けた凹部３２に移動する（図１７）。さらに、連結棒５２の押圧によって水平回動レバー６が右回り方向に水平回動された場合には、棒状体４５ｂの先端を持ち上げたまま水平回動体４４は右回り方向に回動される（図１７、１８）。
【００３６】
その後、モータＭの逆回転により、連結棒５２が後退するので、バネ６１の張力により摺動板３が動き出すよりも前に水平回動体４４が元の位置に回動される（図１５）。さらに連結棒５２が後退することにより摺動板３が後退すると、係合突棒４７ｃは切り込み１１ａの一部をなす突起１１ｂ（図１２）に引っかかって後退を規制され、やや湾曲した切り込み１１ａに沿って回動されるので、偏心カム４７が右回りに回動されることになる。これによって、偏心カム４７の係合突片４５ｃに対する押圧が解除されるので、棒状体４５ｂはバネ４６の付勢により再び下向きに回動されることとなる。
以上のようにして、垂直回動体４５は、摺動板３の移動、水平回動体４４の回動に連動して垂直回動される。
図１９には、図１３、１４に対応する斜視図、図２０には、図１５、１６に対応する斜視図、図２１には、図１７、１８に対応する斜視図を示す。
【００３７】
図２２、２３には、第３の実施形態の遊技機の可動装飾装置を示す。この形態のものは、モータＭに駆動ギア１３が装着され、水平回動体４４の回転軸４３の下端には従動ギア１４が装着されている。駆動ギア１３と従動ギア１４はラックギア１５と歯合している。従動ギア１４はバネ１６により、図２２（ｂ）からみて左回り（反時計回り）に付勢された状態で回動を制止されている。なお、ラックギア１５は装飾基板１に螺着された支持部材１７により保持されている。
【００３８】
図２４に示す状態では、摺動板３は最もモータＭよりに引き付けられている。
図２４の状態においてモータＭが駆動されると、駆動ギア１３を介してラックギア１５が前進される。従動ギア１４は左回りに付勢されているので、ラックギア１５の押圧力により摺動板３は前進させられる（図２５）。係合突部９４が長孔１１の端部に突き当たると摺動板３は前進不可能となるので、バネ１６の付勢力に抗してラックギア１５は従動ギア１４を回転させるので、水平回動体４４は回動されることとなる（図２６）。
【００３９】
水平回動体４４の回動後は、制御装置の指令により、モータＭは逆回転されるので、バネ１６の反力により、摺動板３が動き出すよりも前に従動ギア１４は図２５の状態にまで回動され水平回動体４４も逆に回動される。従動ギア１４の回動が停止されても、ラックギア１５は従動ギア１４を後方に引っ張るので、摺動板３は元の図２４に示す状態に戻されることになる。以上の動作を繰り返すことによって、装飾部品本体４２は前後進し、水平回動体４４は右回り、左回りの水平回動を繰り返すことができる。
【００４０】
図２７，２８に示す第４の実施形態においては、摺動板３の裏側にカム機構７が配設されている。このカム機構７は、クランク部材７１と、カム部材７２とからなる。クランク部材７１は、水平回動体４４の回転軸４３に装着された略扇状の基板部７３の一方の端部に垂設された突起７４と、他方の端部に垂設されたコロ７５とを有する。カム部材７２は、装飾基板１の裏側にネジにより固定されるが、スライド方向に沿って形成された直線状の凹部７６と水平回動体４４の回動方向に湾曲する円弧状の凹部７７とを有する。
【００４１】
図２９に示す状態では、摺動板３は最もモータＭよりに引き付けられており、コロ７５は直線状の凹部７６に位置している。この状態においてモータＭが駆動されると、連結棒５２はクランク部材７１の突起７４を押圧するが、コロ７５が直線状の凹部７６に位置しているため、クランク部材７１は回動することができない。よって、連結棒５２の押圧によってコロ７５が直線状の凹部７６内を前進して摺動板３が前進させられる（図３０）。
【００４２】
やがて、コロ７５が円弧状の凹部７７内を移動すると、連結棒５２の押圧によって、クランク部材７１が回動されるので、水平回動体４４もともに回動されることとなる（図３１）。
【００４３】
水平回動体４４の回動後は、制御装置の指令により、モータＭは逆回転されるので、コロ７５は円弧状の凹部７７内を逆に移動することができるので、摺動板３が動き出すよりも前にコロ７５は図３０の状態にまで回動され水平回動体４４も逆に回動される。コロ７５の回動が停止されても、連結棒５２は突起７４を後方に引っ張るので、摺動板３は元の図２９に示す状態に戻されることになる。以上の動作を繰り返すことによって、装飾部品本体４２は前後進し、水平回動体４４は、右回り、左回りの水平回動を繰り返すことができる。
【００４４】
図３２に示す第５の実施形態のものも、摺動板３の裏側にカム機構８が配設されている。このカム機構８も、クランク部材８１と、カム部材８２とからなる。クランク部材８１は、水平回動体４４の回転軸４３に装着された長円形状の基板部８３の先端にコロ８４が垂設されている。コロ８４は連結棒５２と接続されている。カム部材８２は、装飾基板１の裏側にネジにより固定されるが、摺動板３のスライド方向に沿って形成された直線状の凹部８５と円弧状の凹部８６とを有する。
【００４５】
図３３の状態では、摺動板３は最もモータＭ側に引き付けられており、コロ８４は直線状の凹部８５に位置している。この状態においてモータＭが駆動されると、連結棒５２はクランク部材８１のコロ８４を押圧するが、コロ８４は直線状の凹部８５に位置しているため、クランク部材８１は回動することができない。よって、連結棒５２の押圧によってコロ８４が直線状の凹部８５内を前進するので、摺動板３が前進させられる（図３４）。
【００４６】
やがて、コロ８４が円弧状の凹部８６に沿って移動すると、連結棒５２の押圧によって、クランク部材８１が回動され、これによって水平回動体４４もともに回動されることとなる（図３５）。
【００４７】
水平回動体４４の回動後は、制御装置の指令により、モータＭは逆回転されるので、コロ８４は円弧状の凹部８６内を逆に移動することができるので、摺動板３が動き出すよりも前にコロ８４は図３０の状態にまで回動され水平回動体４４も逆に回動される。コロ８４の回動が停止されても、連結棒５２はコロ８４を後方に引っ張るので、摺動板３は元の図３３に示す状態に戻されることになる。以上の動作を繰り返すことによって、装飾部品本体４２は前後進し、水平回動体４４は、右回り、左回りの水平回動を繰り返すことができる。
なお、磁石Ｊについて、逆駆動時において水平回動体４４が正駆動開始時の状態に戻った後に装飾部品本体４２が後退を行うように、駆動の補助を行っている。よって、当該磁石Ｊを用いることでよりスムーズな逆駆動運転を行うことが可能となる。
【００４８】
正駆動かつ／又は逆駆動を補助する駆動補助部材として、実施形態１〜３はバネ、実施形態５は永久磁石Ｊを用いている。しかし、本発明における駆動補助部材はこれらに限定されるものではなく、正駆動時においては、装飾部品本体４２が規制された位置まで前進した後に水平回動体４４が回動を行うように、かつ／又は、逆駆動時においては、水平回動体４４が正駆動開始時の状態に戻った後に装飾部品本体４２が後退を行うように補助する特性を持った部材であってもよい。
【００４９】
なお、本発明の遊技機の稼動装飾装置は、ヨーイング機構とローリング機構とを備えている。
ヨーイング機構を図１、２により説明する。
遊技基板１には、ヨー運動発生用の左右方向にうねる湾曲溝９１が設けられている。そして、装飾部品本体４２の内部には、下向きのヨーイング棒９２が設けられ、この棒９２の先端は、湾曲溝９１に差し込まれている。よって、摺動板３に軸着された装飾部品本体４２は、前進または後退時に上下軸（Z軸）まわりに先頭を左右に振る運動、即ちヨー運動を発生させることができる。
【００５０】
ローリング機構を図１２により説明する。
摺動板３は、その端部がスライド方向に伸びるガイド棒２に挿通されているので、ガイド棒２を中心に回動することができる。そして、装飾基板１には摺動板３のスライド方向に伸びる隆起９３が設けられ、摺動板３の一側には隆起９３との係合突部９４が設けられている。この係合突部９４が隆起９３を乗り越えて移動するたびに隆起９３によって摺動板３の一側は持ち上げられるので、装飾部品本体４２はガイド棒２まわりのローリング運動を行うことができる。
【００５１】
また、本発明においては、装飾部品本体４２が規制された位置まで前進した後に水平回動体４４が回動を行うという、少なくとも２段階の動作を連続して行っている。よって、装飾部品本体４２が規制された位置まで前進した後に水平回動体４４が回動し終わるまで駆動する第１演出パターンや、装飾部品本体４２が規制された位置まで前進するのみで水平回動体４４の回動を行わない第２演出パターン等を行うことが可能となる。これらにより、複数の遊技状態、例えばリーチ予告や大当たり予告に合わせて、信頼度の高いリーチ予告や大当たり予告の場合は第１演出パターンを、信頼度の低いリーチ予告や大当たり予告の場合は第２演出パターンといった、一つの稼動装飾部材で従来にない斬新な演出を行うことが可能となる。もちろん、本発明における演出パターンはこれら２種類に限定されるものではなく、装飾部品本体４２が途中までしか前進しない演出パターンや、装飾部品本体４２が規制された位置まで前進した後に水平回動体４４が途中までしか回動しない演出パターン等であってもよい。
【００５２】
以上説明したように、本発明に係る遊技機の可動装飾装置は、駆動モータＭの一方向の回転によって、装飾部品４のスライド移動、水平回動部材４４の水平回動、垂直回動部材４５の垂直回動、装飾部品４のヨーイング、および装飾部品４のローリングとを連続して行うという複雑な動作を行うことができる。さらに、連続した動作を最後まで行ったり、又は、途中で止めたりすることで、一つの可動装飾部材で複数種の演出を行うことができる。よって、複数の遊技状態それぞれに合わせた演出を行うことが可能となるので、遊技者が遊技に飽きることはない。
【図面の簡単な説明】
【００５３】
【図１】第１の実施形態の可動装飾装置を示す（ａ）正面図、（ｂ）平面図、〔ｃ〕側面図である。
【図２】第１の実施形態の可動装飾装置の分解斜視図である。
【図３】図１の可動装飾装置の装飾部品が駆動源側に位置する状態の平面図である。
【図４】図１の可動装飾装置の装飾部品が駆動源側に位置する状態の正面図である。
【図５】図１の可動装飾装置の装飾部品が前進中の状態の平面図である。
【図６】図１の可動装飾装置の装飾部品が前進中の状態の正面図である。
【図７】図１の可動装飾装置の水平回動体が回動された状態の平面図である。
【図８】図１の可動装飾装置の水平回動体が回動された状態の正面図である。
【図９】図１の可動装飾装置の装飾部品が駆動源側に位置する状態の斜視図である。
【図１０】図１の可動装飾装置の装飾部品が前進中の状態の斜視図である。
【図１１】図１の可動装飾装置の水平回動体が回動された状態の斜視図である。
【図１２】第２の実施形態の可動装飾装置の分解斜視図である。
【図１３】図１２の可動装飾装置の装飾部品が駆動源側に位置する状態の平面図である。
【図１４】図１２の可動装飾装置の装飾部品が駆動源側に位置する状態の正面図である。
【図１５】図１２の可動装飾装置の偏心カムが回動中の状態の平面図である。
【図１６】図１２の可動装飾装置の偏心カムが垂直回動体を押圧した状態の正面図である。
【図１７】図１２の可動装飾装置の水平回動体が回動された状態の平面図である。
【図１８】図１２の可動装飾装置の水平回動体が回動された状態の正面図である。
【図１９】図１２の可動装飾装置の装飾部品が駆動源側に位置する状態の斜視図である。
【図２０】図１２の可動装飾装置の装飾部品が前進中の状態の斜視図である。
【図２１】図１２の可動装飾装置の水平回動体が回動された状態の斜視図である。
【図２２】第３の実施形態の可動装飾装置を示す（ａ）正面図、（ｂ）平面図、〔ｃ〕側面図である。
【図２３】第３の実施形態の可動装飾装置の分解斜視図である。
【図２４】図２２の可動装飾装置の装飾部品が駆動源側に位置する状態の斜視図である。
【図２５】図２２の可動装飾装置の装飾部品が前進中の状態の斜視図である。
【図２６】図２２の可動装飾装置の水平回動体が回動された状態の斜視図である。
【図２７】第４の実施形態の可動装飾装置を示す（ａ）正面図、（ｂ）平面図、〔ｃ〕側面図である。
【図２８】第４の実施形態の可動装飾装置の分解斜視図である。
【図２９】図２７の可動装飾装置の装飾部品が駆動源側に位置する状態の（ａ）正面図、（ｂ）平面図である。
【図３０】図２７の可動装飾装置の装飾部品が前進中の状態の（ａ）正面図、（ｂ）平面図である。
【図３１】図２７の可動装飾装置の水平回動体が回動された状態の（ａ）正面図、（ｂ）平面図である。
【図３２】第５の実施形態の可動装飾装置を示す（ａ）正面図、（ｂ）平面図、（ｃ）側面図である。
【図３３】図３２の可動装飾装置の装飾部品が駆動源側に位置する状態の（ａ）正面図、（ｂ）平面図である。
【図３４】図３２の可動装飾装置の装飾部品が前進中の状態の（ａ）正面図、（ｂ）平面図である。
【図３５】図３２の可動装飾装置の水平回動体が回動された状態の（ａ）正面図、（ｂ）平面図である。
【符号の説明】
【００５４】
３  摺動板、５  クランク機構、６  回動用レバー、４３  支軸、４４  水平回動体、４５  垂直回動体、４７  偏心カム、Ｍ  駆動モータ
【図１】
2007244406.tif 000003
【図２】
2007244406.tif 000004
【図３】
2007244406.tif 000005
【図４】
2007244406.tif 000006
【図５】
2007244406.tif 000007
【図６】
2007244406.tif 000008
【図７】
2007244406.tif 000009
【図８】
2007244406.tif 000010
【図９】
2007244406.tif 000011
【図１０】
2007244406.tif 000012
【図１１】
2007244406.tif 000013
【図１２】
2007244406.tif 000014
【図１３】
2007244406.tif 000015
【図１４】
2007244406.tif 000016
【図１５】
2007244406.tif 000017
【図１６】
2007244406.tif 000018
【図１７】
2007244406.tif 000019
【図１８】
2007244406.tif 000020
【図１９】
2007244406.tif 000021
【図２０】
2007244406.tif 000022
【図２１】
2007244406.tif 000023
【図２２】
2007244406.tif 000024
【図２３】
2007244406.tif 000025
【図２４】
2007244406.tif 000026
【図２５】
2007244406.tif 000027
【図２６】
2007244406.tif 000028
【図２７】
2007244406.tif 000029
【図２８】
2007244406.tif 000030
【図２９】
2007244406.tif 000031
【図３０】
2007244406.tif 000032
【図３１】
2007244406.tif 000033
【図３２】
2007244406.tif 000034
【図３３】
2007244406.tif 000035
【図３４】
2007244406.tif 000036
【図３５】
2007244406.tif 000037